(57)【要約】【課題】  コマ番号の判別が容易で整理しやすいプリント写真及びこのプリント写真を作成するプリントシステムを提供する。【解決手段】  プリント写真４１はハーフＬサイズであり、略６．３ｃｍ×８．９ｃｍにされている。このプリント写真４１は、記録面の中央に画像３１が記録されている。画像３１の周囲には、縁３３が形成されており、この縁３３には、現像日３４及びコマ番号３５が記録されている。また、縁３３は、白または黒にされており、現像日３４及びコマ番号３５の色は、縁３３の色に関わらずグレーにされている。また、現像日３４の代わりに撮影日を記録しても良い。このように、記録面に画像３１とともにコマ番号３５を記録するため、コマ番号の判別が容易であり整理しやすくなる。【選択図】        図２
2006054501.tif 000002
【特許請求の範囲】
【請求項１】
記録紙に撮影画像が記録されたプリント写真において、
コマ番号が、前記撮影画像と共に前記記録紙の記録面に記録されていることを特徴とするプリント写真。
【請求項２】
前記記録紙の記録面には、前記コマ番号とともに、撮影日または現像日が記録されていることを特徴とする請求項１記載のプリント写真。
【請求項３】
前記記録紙に記録された前記撮影画像の周囲には縁が形成され、この縁に前記コマ番号と、前記撮影日または前記現像日とが記録されていることを特徴とする請求項１または請求項２記載のプリント写真。
【請求項４】
現像済みのフイルムから前記撮影画像を読み取って得られた画像データと、前記コマ番号のデータと、前記撮影日または前記現像日のデータとを合成することにより作成された記録用画像データが前記記録紙に記録されることを特徴とする請求項１ないし請求項３のいずれか１項記載のプリント写真。
【請求項５】
前記記録紙の幅で記録される通常プリントサイズに対して、通常プリントサイズの１／２サイズでその向きを９０度変えた前記撮影画像を構成し、この撮影画像を幅方向に２個並べて通常プリントサイズで記録し、この通常プリントサイズで記録されたプリントを切り離して前記撮影画像毎のプリントにすることを特徴とする請求項１ないし請求項４のいずれか１項記載のプリント写真。
【請求項６】
前記通常プリントサイズは略１２．７ｃｍ×８．９ｃｍのＬサイズであり、前記撮影画像毎のプリントは略６．３ｃｍ×８．９ｃｍのハーフＬサイズであることを特徴とする請求項５記載のプリント写真。
【請求項７】
前記縁の色は、白または黒であることを特徴とする請求項１ないし請求項６のいずれか１項記載のプリント写真。
【請求項８】
前記コマ番号と前記撮影日または前記現像日とが、前記記録紙にグレーの文字で記録されることを特徴とする請求項１ないし請求項７のいずれか１項記載のプリント写真。
【請求項９】
写真フイルムから画像を読み取るスキャナ及びこのスキャナで読み取った画像データに画像処理を施す画像処理部からなる入力機と、前記画像処理部で画像処理された画像データに基づきプリントを行う出力機と、前記入力機及び前記出力機を制御する制御手段とを有するプリントシステムにおいて、
前記制御手段に外付けの画像処理装置を接続し、この外付けの画像処理装置によって、前記請求項１ないし請求項８のいずれか１項記載のプリント写真用の画像処理を行うことを特徴とするプリントシステム。
【請求項１０】
前記外付けの画像処理装置は、前記入力機から画像データを取得してコマ番号と撮影画像とを合成する合成処理部と、この合成処理部で合成された記録用画像データを記憶するメモリ部とを有し、前記制御手段は、前記メモリ部から前記記録用画像データを読み取って、これを出力機に送ってプリント写真を作成させることを特徴とする請求項９記載のプリントシステム。
【発明の詳細な説明】
【技術分野】
【０００１】
本発明は、現像済みの写真フイルムから読み取った画像データを記録紙に記録したプリント写真及びこのプリント写真を作成するプリントシステムに関する。
【背景技術】
【０００２】
ユーザが、撮影済みの写真フイルムを写真店、ＤＰ受付店、または現像所等に持ち込んで現像及びプリントを依頼すると、現像済みの写真フイルムと、撮影画像がプリントされた複数のプリント写真とがユーザに返却される。ユーザは、返却された現像済み写真フイルムとプリント写真とを保管し、焼き増し注文等で再注文する際に現像済みの写真フイルムを写真店等に持ち込んでプリントを依頼している。しかし、焼き増し注文等で再注文する際に、ユーザはプリント写真の絵柄と現像済みの写真フイルム（ネガフイルム）とを照らし合わせてコマの確認を行っているが、ネガフイルムの画像が反転画像であり、画像も小さいためコマの確認が難しく、特に同一シーンを何枚も撮影している場合は、コマの判別が困難であった。
【０００３】
このような問題を解決するために、一般の写真店では、プリント写真の裏にコマ番号を印字している（例えば、特許文献１参照）。このため、ユーザは、プリント写真の裏を見ることによりコマ番号を確認することができる。
【０００４】
【特許文献１】特開平１０−１０４７５６号公報
【発明の開示】
【発明が解決しようとする課題】
【０００５】
しかしながら、プリント写真の裏にコマ番号が印字されていることがユーザに認知されていないことが多い。また、コマ番号を認知している場合でも、プリント写真の裏にはコマ番号以外の文字も印字されており、コマ番号を確認するのが難しいという問題や、印字が薄くてコマ番号を確認できないという問題があった。また、ユーザは、プリント写真を整理せずに保管している場合が多い。このため、後から整理しようとした際に、プリント写真の撮影順序が分からないので整理することが難しいという問題があった。
【０００６】
このため、コマ番号の判別が容易で整理がし易いプリント写真の出現が要請されていた。従来のプリントシステムは、スキャナ、及び画像処理を行うコンピュータを有する入力機と、プリンタプロセッサからなる出力機と、入力機及び出力機を制御する制御手段であるデジタルイメージコントローラ（ＤＩＣ）とで構成されている。しかし、このような従来のプリントシステムでは、前述のようなコマ番号の判別が容易なプリント写真の作成する場合、画像処理や画像合成の機能に制限があるので対応が難しい。例えば、入力機のコンピュータは、フイルム上の傷を画像処理によって補正する傷消しや、階調調整等の画像補正を行う他に、予め用意されたテンプレート画像とネガフイルムから読み取られた画像とを合成する合成処理を行う。出力機では、画像補正や合成処理が施された画像データに基づいてプリントすることで、上記のような画像処理がなされたプリント写真が作成される。しかし、このような画像補正や画像合成は、入力機のコンピュータに予め組み込まれた機能やテンプレートを用いたものに制限されてしまい、その機能の拡張は容易ではないという問題がある。
【０００７】
本発明は上記事情に鑑みてなされたものであり、コマ番号の判別が容易で整理しやすいプリント写真及びこのプリント写真を作成するプリントシステムを提供することを目的とする。
【課題を解決するための手段】
【０００８】
上記課題を解決するために、本発明のプリント写真は、記録紙に撮影画像が記録されたプリント写真において、コマ番号が、前記撮影画像と共に前記記録紙の記録面に記録されていることを特徴とするものである。
【０００９】
また、前記記録紙の記録面には、前記コマ番号とともに、撮影日または現像日が記録されていることが好ましい。さらに、前記記録紙に記録された前記撮影画像の周囲には縁が形成され、この縁に前記コマ番号と、前記撮影日または前記現像日とが記録されていることが好ましい。
【００１０】
また、現像済みのフイルムから前記撮影画像を読み取って得られた画像データと、前記コマ番号のデータと、前記撮影日または前記現像日のデータとを合成することにより作成された記録用画像データが前記記録紙に記録されることが好ましい。
【００１１】
さらに、前記記録紙の幅で記録される通常プリントサイズに対して、通常プリントサイズの１／２サイズでその向きを９０度変えた前記撮影画像を構成し、この撮影画像を幅方向に２個並べて通常プリントサイズで記録し、この通常プリントサイズで記録されたプリントを切り離して前記撮影画像毎のプリントにすることが好ましい。
【００１２】
また、前記通常プリントサイズは略１２．７ｃｍ×８．９ｃｍのＬサイズであり、前記撮影画像毎のプリントは略６．３ｃｍ×８．９ｃｍのハーフＬサイズであることが好ましい。
【００１３】
さらに、前記縁の色は、白または黒であることが好ましく、前記コマ番号と前記撮影日または前記現像日とが、前記記録紙にグレーの文字で記録されることが好ましい。
【００１４】
上記課題を解決するために、本発明のプリントシステムは、写真フイルムから画像を読み取るスキャナ及びこのスキャナで読み取った画像データに画像処理を施す画像処理部からなる入力機と、前記画像処理部で画像処理された画像データに基づきプリントを行う出力機と、前記入力機及び前記出力機を制御する制御手段とを有するプリントシステムにおいて、前記制御手段に外付けの画像処理装置を接続し、この外付けの画像処理装置によって、前記請求項１ないし請求項８のいずれか１項記載のプリント写真用の画像処理を行うことを特徴とするものである。
【００１５】
また、前記外付けの画像処理装置は、前記入力機から画像データを取得してコマ番号と撮影画像とを合成する合成処理部と、この合成処理部で合成された記録用画像データを記憶するメモリ部とを有し、前記制御手段は、前記メモリ部から前記記録用画像データを読み取って、これを出力機に送ってプリント写真を作成させることが好ましい。
【発明の効果】
【００１６】
本発明のプリント写真及びプリントシステムによれば、記録紙の記録面に撮影画像とコマ番号とが記録されたプリント写真が得られる。このため、各プリント写真のコマ番号の判別が容易であり、焼き増し注文等の再注文を行いやすい。また、コマ番号を確認することにより、撮影順序を容易に判別することができるのでプリント写真を整理し易い。
【００１７】
また、記録紙の記録面には、撮影日または現像日が記録されているので、撮影日毎や現像日毎にプリント写真を整理することも容易である。
【発明を実施するための最良の形態】
【００１８】
ユーザは、撮影済みの写真フイルムを写真店に持ち込み、写真フイルムの現像及びプリントを依頼する。写真店では、撮影済みの写真フイルムの現像を行う。その後、店内のプリントシステム２によって、現像済みの写真フイルムに記録された撮影画像を記録紙である感光材料に記録してプリント写真を出力させる。以下に、このプリントシステム２について説明する。
【００１９】
図１に示すように、プリントシステム２は、入力機１０と、出力機１１と、入力機１０及び出力機１１を制御する制御手段であるＤＩＣ１３とを備えて構成されている。入力機１０は、現像後の写真フイルムに記録された撮影画像を読み取って画像データを取得するスキャナ１２と、コンピュータ９とを備えている。コンピュータ９は、内部に画像処理部９ａを備えており、この画像処理部９ａが、スキャナ１２が取得した画像データに対して、傷消しや階調調整等の各種画像処理を施す。
【００２０】
また、ＤＩＣ１３には、外付けの画像処理装置である外付けコンピュータ２０が接続されている。この外付けコンピュータ２０は、ＤＩＣ１３から画像データを取得して、コマ番号と撮影画像とを合成する合成処理部である合成処理ソフト２０ａがインストールされている。この合成処理ソフト２０ａにより、コマ番号と撮影画像とが合成された記録用画像データ、すなわち、画像データに対して後述するテンプレート合成処理を施した記録用画像データを生成する。さらに、外付けコンピュータ２０は、合成処理ソフト２０ａによって得られた記録用画像データを記憶させるメモリ部２０ｂを備えている。
【００２１】
また、ＤＩＣ１３には、画像登録ソフト１３ａがインストールされている。この画像登録ソフト１３ａは、コンピュータ９及び外付けコンピュータ２０に対するデータの入出力や、出力機１１に対するデータの出力を制御する。また、ＤＩＣ１３には、メモリカードや、ＨＤＤ等の記憶媒体である外部記憶装置２２が接続可能にされており、画像登録ソフト１３ａは、外部記憶装置２２に対するデータの入出力制御も行う。
【００２２】
また、出力機１１は、ＤＩＣ１３から記録用画像データを取得してプリント写真を出力する写真プリンタであり、記録用画像データに基づいて、記録紙である感光材料に露光を行って画像を潜像で記録するプリンタ部１４と、画像が潜像で記録された感光材料に対して現像処理を施すプロセッサ部１５とを備えて構成されている。
【００２３】
以下に、テンプレート合成処理について説明する。なお、プリント写真として、Ｌサイズプリント（８９ｍｍ×１２７ｍｍ）の略半分のサイズであるハーフＬサイズプリント（８９ｍｍ×６３ｍｍ）を出力する場合のテンプレート合成処理について説明する。
【００２４】
外付けコンピュータ２０は、ＤＩＣ１３を介して入力機１０から取得した画像データに対してテンプレート合成処理を行う。テンプレートとは、感光材料に記録する画像のサイズ及び位置、画像の周囲に形成される縁の色、この縁に記録する情報の種類等が予め設定されたプリントフォーマットであり、各種設定値毎に複数種類設けられている。つまり、各テンプレートは、２つの画像３１，３２のサイズ及び位置が設定されており、さらに、画像３１，３２の周囲に形成される縁３３の色、及び縁３３に記録される情報の種類が設定されている。本実施形態においては、縁３３の色として白または黒の２種類が設定されている。また、縁３３に記録される情報として、現像日３４とコマ番号３５を記録する。ただし、現像日３４及びコマ番号３５は、縁３３の色に関わらず、グレーの文字で記録される。なお、写真フイルムがＡＰＳの場合は、現像日３４の代わりに撮影日を記録しても良い。
【００２５】
外付けコンピュータ２０は、ユーザによって指定されたテンプレートデータに対して画像データの面付けを行ってテンプレート合成処理を施す。図２に示すように、ハーフＬサイズプリントを行う場合、Ｌサイズの感光材料３０の幅で記録される通常プリントサイズに対して、通常プリントサイズの略１／２のサイズで、その向きを９０度変えた２つの画像３１，３２を幅方向に並べて記録する。その後、図中２点鎖線で示す切断位置３７で切り離して、ハーフＬサイズの２枚のプリント写真４１，４２にする。
【００２６】
つまり、外付けコンピュータ２０にて、テンプレート合成処理を行う際は、Ｌサイズの感光材料３０に対応するテンプレートデータに対して２つの画像３１，３２のデータを面付けする。この時、画像３１，３２のデータに対して、テンプレート合成処理以外の各種画像処理を施しても良い。このテンプレート合成処理にて生成された記録用画像データは、メモリ部２０ａ内の共有フォルダ２０ｃ内に記憶される。また、この共有フォルダ２０ｃは、ＤＩＣ１３によってアクセス可能にされている。
【００２７】
このように、合成処理ソフト２０ａがインストールされた外付けコンピュータ２０にて、テンプレート合成処理及び各種画像処理を行うため、画像処理部９ａに組み込まれた画像処理機能以外の画像処理を行うことが可能である。また、新たな画像処理の機能を追加する場合、外付けコンピュータ２０にインストールされた合成処理ソフト２０ａのみ更新すれば良い。さらに、写真プリンタ１０のＤＩＣ１３のソフトに影響を与えないため、合成処理ソフトの開発が容易である。
【００２８】
次に、プリントシステム２のプリント処理を図３のフローチャートを用いて説明する。写真店は、撮影済みの写真フイルムがユーザによって持ち込まれると、写真フイルムの現像、及びプリントの受付を行う。写真店は、この受付時にユーザにテンプレートを選択させる。その後、写真店では、撮影済みの写真フイルムの現像を行う。
【００２９】
現像済みの写真フイルムに記録された撮影画像は、スキャナ１３によって読み込まれ、デジタルデータである画像データ（例えば、ＢＭＰ形式）と、面付け処理で必要な情報（例えば、磁気情報やプリント日時）とが取得される。その後、画像データ及び前述の情報がコンピュータ９に出力され、画像処理部９ａによって傷消しや階調調整等の各種画像処理が画像データに施される。その後、コンピュータ９は、画像データ及び前述の情報をＤＩＣ１３に出力する。
【００３０】
ＤＩＣ１３は、面付け処理モードに設定されている時に、画像データの出力先に合成処理ソフト２０ａを設定する。これにより、画像データ及び前述の情報が外付けコンピュータ２０に出力される。外付けコンピュータ２０は、合成処理ソフト２０ａによって、Ｌサイズの感光材料３０に対応するテンプレートのうちユーザによって選択されたテンプレートのデータに対して２個ずつ画像を面付けして、さらに各画像に対応する情報、つまり、現像日及びコマ番号の情報を追加してテンプレート合成処理を施して記録用画像データを生成する。その後、この記録用画像データは、外付けコンピュータ２０内の共有フォルダ２０ｃ内に記憶される。
【００３１】
このテンプレート合成処理は、１オーダの全画像に対して行われる。なお、１オーダの画像枚数が奇数枚の場合、最後の画像面付け位置が余白となってしまう。この余白を有効に利用するため、最後のテンプレートにおいて、営業案内、サービス券、広告、サービス画像、インデックスプリント等の画像データを２個目の面付け位置に面付けしてテンプレート合成処理を施しても良い。また、外付けコンピュータ２０において、画像データに対して各種画像処理が施される。
【００３２】
その後、ＤＩＣ１３は、テンプレート合成処理が施された記録用画像データを共有フォルダ２０ｃから読み取って、出力機１１に出力する。出力機１１は、面付け処理が施された記録用画像データに基づいて、プリント写真を作成する。出力機１１から出力されたプリントはＬサイズのプリントであり、図２に示すように切断位置３７にてカットされて、例えば、２枚のプリント写真４１，４２となる。
【００３３】
この時、縁３３の色が黒のテンプレートを使用した場合には、縁３３の色が黒で記録され、縁３３の色が白のテンプレートを使用した場合には、縁３３の色が白で記録されている。また、この縁３３には、現像日３４とコマ番号３５とがグレーの文字で記録されている。このように、記録面に撮影画像とコマ番号とが記録されるので、コマ番号の判別が容易であり、焼き増し注文等の再注文を行いやすい。また、プリント写真を整理する際に、コマ番号を確認することにより、撮影順序を判別することができるので整理が容易である。
【００３４】
なお、上記実施形態において、現像日３４及びコマ番号３５を縁３３に記録するように説明したが、写真フイルムがＡＰＳの場合、写真フイルムに記録された撮影日のデータに基づいて、現像日３４の代わりに撮影日を記録しても良い。
【００３５】
また、外付けコンピュータ２０が、テンプレート合成処理を行うように説明したが、外付けコンピュータ２０が、複数の画像データを組み合わせた画像データを作成しても良い。
【００３６】
さらに、上記実施形態において、写真店に設置された外付けコンピュータ２０にてテンプレート合成処理を行うように説明したが、これに限るものではなく、例えば、図４に示すように、各写真店５１ａ〜５１ｄに設置されたＤＩＣ１３が、インターネット５２を介して、画像処理用コンピュータ５３に接続されるようにしても良い。この場合、外付けコンピュータ２０の代わりに、画像処理用コンピュータ５３にてテンプレート合成処理が行われる。
【００３７】
この場合には、各写真店のＤＩＣ１３からインターネット５２を介して、画像データ及びテンプレートを指定する情報等が画像処理用コンピュータ５３に送信される。その後、画像処理用コンピュータ５３は、画像データに対してテンプレート合成処理を行う。その後、画像処理用コンピュータ５３は、合成処理が施された記録用画像データを各写真店５１ａ〜５１ｄのＤＩＣ１３にインターネット５２を介して返信する。
【００３８】
また、上記実施形態において、合成処理ソフト２０ａがインストールされた外付けコンピュータ２０にて、テンプレート合成処理や各種画像処理が行われるように説明したが、これに限るものではなく、合成処理ソフト２０ａをＤＩＣ１３にインストールして、ＤＩＣ１３が、テンプレート合成処理や各種画像処理を行うようにしても良い。
【００３９】
さらに、スキャナ１３によって、写真フイルムに記録された画像を読み込んで画像データを取得するように説明したが、これに限るものではなく、ＤＩＣ１３が、画像データを記憶するメモリカード等の記憶媒体から画像データを取得しても良い。
【００４０】
また、上記実施形態において、ハーフＬサイズプリントを例に説明したが、Ｌサイズプリントやその他のサイズのプリント写真に本発明を適用しても良い。また、プリント写真は、露光により感光材料に画像を記録して作成されるように説明したが、これに限らず、インクジェット方式や、サーマル方式等の各種プリンタでプリント写真を作成しても良い。
【図面の簡単な説明】
【００４１】
【図１】プリントシステムの構成を示す概略図である。
【図２】プリント写真の構成を示す平面図である。
【図３】プリントシステムのプリント処理を説明するフローチャートである。
【図４】インターネットを用いたプリントシステムの構成を示す概略図である。
【符号の説明】
【００４２】
２  プリントシステム
９  コンピュータ
９ａ  画像処理部
１０  入力機
１１  出力機
１２  スキャナ
１３  ＤＩＣ
１３ａ  画像登録ソフト
２０  外付けコンピュータ
２０ａ  合成処理ソフト
２０ｂ  メモリ部
２０ｃ  共有フォルダ
３０  感光材料
３１，３２  画像
３３  縁
３４  現像日
３５  コマ番号
４１，４２  プリント写真
【図１】
2006054501.tif 000003
【図２】
2006054501.tif 000004
【図３】
2006054501.tif 000005
【図４】
2006054501.tif 000006